(57)【特許請求の範囲】
【請求項１】
自車位置周辺の地図を表示すると共に目的地までの誘導経路を表示するナビゲーション装置において、
目的地および時刻を入力する手段、
入力された前記目的地の前記時刻における天気予報を求める手段、
該天気予報を、前記目的地を含む地図と共にディスプレイ画面に表示する手段、
前記天気予報を表示した後に、前記目的地を取り消すか、取り消さないかを指示する手段、
取り消さない場合には、前記目的地までの誘導経路の探索を行なう手段、
を備えたことを特徴とするナビゲーション装置。
【請求項２】
前記時刻は目的地到達予想時刻であることを特徴とする請求項1記載のナビゲーション装置。
【発明の詳細な説明】
【０００１】
【発明の属する技術分野】
本発明はナビゲーション装置に係わり、特に、ある地点の所定時間帯における天気予報を、該地点を含む地図と共にディスプレイ画面に表示するナビゲーション装置に関する。
【０００２】
【従来の技術】
車両の走行案内を行い、運転者が所望の目的地に容易に到着できるようにしたナビゲーション装置は、車両の位置を検出してＣＤ−ＲＯＭから車両位置周辺の地図データを読み出し、地図をディスプレイ画面に表示するとともに地図上の所定箇所に車両位置マーク（自車位置マーク）を重ねて表示する。又、ナビゲーション装置は、車両の移動により現在位置が変化するに従い、画面の自車位置マークを移動したり、或いは自車位置マークは画面中央等の所定位置に固定して地図をスクロールして、常に、車両位置周辺の地図情報が一目で判るようにしている。
【０００３】
【発明が解決しようとする課題】
かかるナビゲーション装置には、出発地点から目的地点までの最適経路を探索し、画面に探索した経路を表示する経路誘導機能がある。このため、ドライバは目的地が決まれば、経路誘導機能により目的地までの経路を探索し、該経路に従って目的地に向けて走行する。
ところで、アウトドライブ流行の現在、出かける当日になって目的地が決まるケースが少なくない。例えば、今日はキャンプにでも行こうか、という具合である。このように、事前に目的地が決まっていない場合、テレビやラジオで天気予報を注意して見聞きすることが少なく、到着先（目的地）で雨に遭遇することがあり、ドライブ旅行の楽しみが半減する。そして、雨が降るのであれば別の場所へ行くべきであったと後悔することになる。
以上から、任意の地点の天気予報を目的地決定前に入手できれば、雨の降る確率が高い地点を避け、雨降りの確率が少ない地点を目的地として選定でき便利である。
【０００４】
本発明の目的は、注目している地点の天気予報を入手し、該地点を含む地図と共に該地点の天気予報をディスプレイ画面に表示するナビゲーション装置を提供することである。
本発明の別の目的は、目的地までの誘導経路の計算に先だって該目的地の天気予報を表示できるナビゲーション装置を提供することである。
【０００５】
【課題を解決するための手段】
上記課題は本発明によれば、自車位置周辺の地図を表示すると共に目的地までの誘導経路を表示するナビゲーション装置において、目的地および時刻を入力する手段、入力された前記目的地の前記時刻における天気予報を求める手段、該天気予報を、前記目的地を含む地図と共にディスプレイ画面に表示する手段、前記目的地を取り消すか、取り消さないかを指示する手段、取り消さない場合には、前記目的地までの誘導経路の探索を行なう手段により達成される。
【０００６】
【発明の実施の形態】
（ａ）本発明を適用できるシステムの構成
図１は本発明を適用できるシステムの構成図であり、ＣＡＲは車内、ＯＤＲは車外である。
１はナビゲーション装置、２は地図や天気予報を表示するディスプレイ装置、３は各地域の各時間帯の天気予報を保持すると共に要求により天気予報情報をダウンロードする気象情報センター、４は気象情報センターに天気予報情報を要求すると共に、ダウンロードされてきた天気予報情報を受信してナビゲーション装置に転送する情報送受信装置である。
【０００７】
情報送受信装置４は、自動車電話装置４ａと情報処理、通信処理機能を備えたパソコン４ｂを備えており、パソコン４ｂの通信処理機能により自動車電話回線を介して気象情報センター３より適宜各地域の各時間帯の天気予報を入手して保持するようになっている。又、パソコン４ｂはナビゲーション装置１からの要求により所定地域の所定時間帯の天気予報情報をナビゲーション装置に送出し、ナビゲーション装置１は該天気予報情報に基づいて天気予報画像を生成してディスプレイ装置２に表示するようになっている。
【０００８】
天気予報情報は文字情報により構成することもできるが、図１(Ａ)，(Ｂ)に示すように、雨雲を含む雲ＣＬの分布を地図ＭＡＰに重ねて表示する雨雲分布情報が好ましい。雨雲とその他の雲の区別は雨雲を黒ぽく、その他の雲を白ぽくすることにより区別し、あるいは、雨雲に雨マークＲＭ、その他の雲に雲りマークＣＭを付すことにより区別する。天気予報画像を構成する地図ＭＡＰの縮尺は大きからず、小さからず、見やすい縮尺がよい。又、地図ＭＡＰは、該縮尺で県境線、海岸線、川、主要道路、主要地点名等を表示する簡易地図が良く、地図上には着目している地点を示すマークＤＭＫを表示する。
気象情報センター３は、現時間帯から一日分程度の各地域の各時間帯における天気予報情報を作成して保持し、自動車端末等からの要求により所定の地域の天気情報をダウンロードする機能を有している。地域は例えば矩形形状として対角２点の経緯度により表現され、該地域の前記縮尺の地図画像と雨雲分布画像が組になって天気予報画像を形成している。
【０００９】
（ｂ）ナビゲーション装置
図２はナビゲーション装置の構成図であり、１１は地図を記憶する地図記憶媒体で、例えばＣＤ−ＲＯＭ、１２はＣＤ−ＲＯＭからの地図情報の読み取りを制御するＣＤ−ＲＯＭ制御部、１３は車両現在位置を測定する位置測定装置であり、移動距離を検出する車速センサー、移動方位を検出するジャイロ、位置計算用ＣＰＵ等で構成されている。１４はＣＤ−ＲＯＭから読出した地図情報を記憶する地図情報メモリ、１５はメニュー選択操作、拡大／縮小操作、カーソル移動（地図スクロール）操作、目的地入力操作等を行うリモコン、１６はリモコンインタフェースである。
【００１０】
１７はナビゲーション全体を制御するプロセッサ（ＣＰＵ）、１８はパソコン４ｂとの間のデータ送受を制御する通信インタフェース部、１９は天気予報情報を記憶する天気予報情報メモリ、２０は地図情報に基づいて地図画像を発生すると共に、天気予報情報に基づいて天気予報画像を発生するディスプレイコントローラ、２１は地図画像を記憶する第１のＶＲＡＭ、２２は天気予報画像を記憶する第２のＶＲＡＭ、２３は画像合成部、２４はモニター装置、２５は各種制御プログラムを記憶するＲＯＭ、２６は処理結果等を記憶するＲＡＭ、２７はバスである。尚、以上に加えて図示しないが、自車位置マーク発生部、メニュー画像発生部、交差点拡大画像発生部等があり、それぞれで発生した画像は画像合成部２３に入力され、適宜画像合成されて出力される。
【００１１】
（ｃ）本発明の天気予報表示処理
図３は本発明の天気予報表示処理のフローである。
情報送受信装置４のパソコン４ｂはナビゲーション装置１より現車両位置を受信すると共に、所定時間毎に周辺の各地域の天気予報情報を気象情報センター３より受信して内蔵のメモリに保持する（ステップ１０１）。かかる状態において、ナビゲーション装置１のリモコン１５を操作して誘導経路設定モードにし（ステップ１０２）、ついで、目的地および目的地到達予測時刻を入力する（ステップ１０３）。
【００１２】
ナビゲーション装置のプロセッサ１７は入力された目的地が所属する地域を求め、該地域の前記時間帯の天気予報情報をパソコン４ｂに要求し、送られてきた天気予報情報をメモリ１９に記憶する（ステップ１０４）。ディスプレイコントローラ２０は該天気予報情報を用いて天気予報画像を生成して第２ＶＲＡＭ２２に記憶すると共に（ステップ１０５）、該天気予報画像中の目的地に目的地マークＤＭＫ（図１）を挿入する（ステップ１０６）。ついで、ナビゲーション用地図画像に替えて天気予報画像をモニター２４に表示する（ステップ１０７）。ユーザはモニター２４に表示された天気予報を参照してステップ１０３で入力した目的地までの誘導経路を作成させるべきか判断し、目的地を取り消す場合にはキャンセルを入力し、取り消さない場合には確定を入力する（ステップ１０８）。
キャンセル入力であれば、ステップ１０２に戻り、誘導経路の再設定操作を行う。しかし、確定入力であれば、プロセッサ１７は目的地までの誘導経路を計算し（ステップ１０９）、しかる後、天気予報画像を消去し、地図および誘導経路を表示する（ステップ１１０）。以上により、誘導経路設定処理が終了する。
【００１３】
（ｄ）変形例
(d-1) 変形例１
以上では、目的地入力後に雨雲分布画像と簡易地図画像で構成された天気予報画像をディスプレイ画面に表示する場合について説明したが、天気予報画像から簡易地図画像を除去した雨雲分布画像をナビゲーション用地図画像に重ねて表示するように構成することもできる。この場合、雨雲分布画像とナビゲーション用地図画像の縮尺を同じにし、かつ、基準位置が一致するようにナビゲーション用地図画像を移動する必要がある。
【００１４】
(d-2) 変形例２
以上では、情報送受信装置４が定期的に天気予報情報を天気情報センターより収集しておく場合であるが、目的地および時刻入力後に、該目的地を含む地域の該時刻における天気予報情報を気象情報センターより入手して表示するように構成することもできる。
(d-3) 変形例３
以上では、インターネット、パソコン通信により自動車電話回線を介して天気予報情報を天気情報センターより収集した場合について説明したが、光／電波ビーコン等その他の手段を用いて収集するように構成することもできる。
(d-4) 変形例４
以上では、雨雲分布図により天気予報情報を表示持する場合であるが、地図上に文字情報を表示し、該文字情報により天気予報を表示することもできる。
(d-5) 変形例５
以上では、目的地の入力に際して本発明を適用した場合についてが、目的地に限らず、通過点を入力する際にも適用することができる。
以上、本発明を実施例により説明したが、本発明は請求の範囲に記載した本発明の主旨に従い種々の変形が可能であり、本発明はこれらを排除するものではない。
【００１５】
【発明の効果】
以上本発明によれば、目的地を入力すると共に時刻を入力し、該入力された目的地の前記時刻における天気予報を求め、該天気予報を、前記目的地を含む地図と共にディスプレイ画面に表示するようにしたから、目的地の所定時刻における天気予報を入手できるため、ユーザは好天の区域の中から目的地を選択でき、到着先で雨に遭遇する確率を少なくでき、ドライブ旅行を楽しむことができる。
【図面の簡単な説明】
【図１】本発明を適用できるシステムの構成図である。
【図２】ナビゲーション装置の構成図である。
【図３】本発明の天気予報表示処理フローである。
【符号の説明】
１・・ナビゲーション装置
２・・ディスプレイ装置
３・・気象情報センター
４・・情報送受信装置
４ａ・・自動車電話装置
４ｂ・・パソコン
【図１】
0003770573.tif 000002
【図２】
0003770573.tif 000003
【図３】
0003770573.tif 000004